【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
燃料は酸素と水素であり、燃焼温度は、燃焼チャンバーへの水の添加によって、少なくとも部分的に制御される燃焼エンジン。
【請求項２】
燃焼によって発生する蒸気は、少なくとも１つの蒸気タービンを回転させ、該蒸気タービンは発電機を回転させて、電気エネルギーが作られる請求項１の燃焼エンジン。
【請求項３】
酸素と水素の燃焼混合物を用いる燃焼エンジンであって、燃焼の排気によって少なくとも１つの蒸気タービンを回転させ、電気エネルギーが作られる燃焼エンジン。
【請求項４】
機械的回転エネルギーは、燃焼システムによって作られ、機械回転エネルギーは発電機を回転させて、電気エネルギーが作られる請求項１又は３の燃焼エンジン。
【請求項５】
燃焼温度は、燃焼チャンバーへの水の添加によって、少なくとも部分的に制御される請求項３の燃焼エンジン。
【請求項６】
窒素又はアルゴンは燃料の中に存在する請求項１又は４の燃焼エンジン。
【請求項７】
空気は、酸素に代えて、少なくとも部分的に用いられる請求項１又は４の燃焼エンジン。
【請求項８】
燃焼によって発生した蒸気の少なくとも一部分は、少なくとも１種の金属によって水素に変換される請求項１又は４の燃焼エンジン。
【請求項９】
水素は、燃焼エンジンの中の燃料として、少なくとも部分的に用いられる請求項８の燃焼エンジン。
【請求項１０】
水素の発生は、金属中の電流によって増加する請求項８の燃焼エンジン。
【請求項１１】
水素は、燃焼エンジンの中の燃料として、少なくとも部分的に用いられる請求項１０の燃焼エンジン。
【請求項１２】
発電機は、空気又は水の移動によって回転し、発電機は電気エネルギーを発生させ、電気エネルギーは、水素及び酸素を生成するための水の電気分解に、少なくとも部分的に用いられ、水素及び／又は酸素の少なくとも一部は、燃焼エンジンの燃料として、少なくとも部分的に用いられる請求項１の燃焼エンジン。
【請求項１３】
電気エネルギーは、水素と酸素を生成するための水の電気分解に、少なくとも部分的に用いられる請求項２の燃焼エンジン。
【請求項１４】
水素及び／又は酸素の少なくとも一部は、燃焼エンジンの燃料として用いられる請求項１３の燃焼エンジン。
【請求項１５】
電気エネルギーは、水素と酸素を生成するための水の電気分解に、少なくとも部分的に用いられる請求項３の燃焼エンジン。
【請求項１６】
水素及び／又は酸素の少なくとも一部は、燃焼エンジンの燃料として用いられる請求項１５の燃焼エンジン。
【請求項１７】
電気エネルギーは、水素と酸素を生成するための水の電気分解に、少なくとも部分的に用いられる請求項４の燃焼エンジン。
【請求項１８】
水素及び／又は酸素の少なくとも一部は、燃焼エンジンの燃料として用いられる請求項１７の燃焼エンジン。
【請求項１９】
光電池が電気エネルギーを発生させ、前記電気エネルギーは、水素と酸素を生成するための水の電気分解に、少なくとも部分的に用いられ、水素及び／又は酸素の少なくとも一部は燃焼エンジンの燃料として用いられる請求項１の燃焼エンジン。
【請求項２０】
燃焼のエネルギーの少なくとも一部は、極低温による空気分離の少なくとも一部に動力を供給する請求項１の燃焼エンジン。
【請求項２１】
空気は、濃縮酸素、純酸素及び超純粋酸素のうちの少なくとも１種の酸素に分離される請求項２０の燃焼エンジン。
【請求項２２】
アルゴンは酸素から実質的に除去される請求項２０の燃焼エンジン。
【請求項２３】
酸素の少なくとも一部は、燃焼エンジンの燃料として用いられる請求項２０の燃焼エンジン。
【請求項２４】
空気から分離された窒素は、深冷蒸留システム、酸素の貯蔵、水素の貯蔵、電気分解、燃焼システム用クーラント、燃焼システム及びこれらの任意の組合せの中の任意の部分を冷却するのに用いられる請求項２０の燃焼エンジン。
【請求項２５】
分離された窒素は、空気又は水を冷却するのに用いられる請求項２０の燃焼エンジン。
【請求項２６】
燃焼のエネルギーの少なくとも一部は、空気膜分離の少なくとも一部に動力を供給する請求項１の燃焼エンジン。
【請求項２７】
空気は、濃縮酸素、純酸素及び超純粋酸素のうちの少なくとも１種の酸素に分離される請求項２６の燃焼エンジン。
【請求項２８】
アルゴンは酸素から実質的に除去される請求項２６の燃焼エンジン。
【請求項２９】
酸素の少なくとも一部は、燃焼システムの燃料として用いられる請求項２６の燃焼エンジン。
【請求項３０】
燃焼のエネルギーの少なくとも一部は、空気ＰＳＡ分離の少なくとも一部に動力を供給する請求項１の燃焼エンジン。
【請求項３１】
空気は、濃縮酸素、純酸素及び超純粋酸素のうちの少なくとも１種の酸素に分離される請求項３０の燃焼エンジン。
【請求項３２】
アルゴンは酸素から実質的に除去される請求項３０の燃焼エンジン。
【請求項３３】
酸素の少なくとも一部は、燃焼システムの燃料として用いられる請求項３０の燃焼エンジン。
【請求項３４】
腐食防止剤、キレート剤及び分散剤のうちの少なくとも１種が加えられる請求項１又は３の燃焼エンジン。
【請求項３５】
燃焼エンジンは、内燃機関及びタービン燃焼機関のうちの少なくとも１種である請求項１又は３の燃焼エンジン。
【請求項３６】
酸素及び水素の少なくとも１種は、液化により、液体状態で貯蔵される請求項１の燃焼エンジン。
【請求項３７】
液化用圧縮機は、燃料電池及び前記燃焼システムのどちらか一方又は両方により、動力が供給される請求項３６の燃焼エンジン。
【請求項３８】
燃料電池は、酸素及び水素の少なくとも１種により、動力が供給される請求項３７の燃焼エンジン。
【請求項３９】
水素、酸素、水及び／又はこれらの任意の組合せの少なくとも１種は、周囲温度、前記燃焼エンジン、前記燃焼エンジンの排気物、電気的放射熱源及び／又はそれらの任意の組合せのうちの少なくとも１種からのエネルギーで燃焼が行われる前に予熱される請求項１の燃焼エンジン。
【請求項４０】
燃焼による機械回転エネルギーはトランスミッションに入り、トランスミッションは、燃焼エンジンのトルク及び／又は仕事の出力と反比例するように係合し、前記トランスミッション出力の機械回転エネルギーは、発電機を回転させて、電気エネルギーが作られる請求項４の燃焼エンジン。
【請求項４１】
トランスミッションは、回転運動エネルギーを貯蔵することができるフライホィールと係合し、フライホィールは発電機を回転させる請求項４０の燃焼エンジン。
【請求項４２】
燃焼による機械回転エネルギーはトランスミッションに入り、トランスミッションは、燃焼システムのトルク及び／又は仕事の出力と反比例するように係合し、前記トランスミッション出力の機械回転エネルギーは、発電機を回転させて、電気エネルギーが作られる請求項４の燃焼エンジン。
【請求項４３】
トランスミッションは、回転運動エネルギーを貯蔵することができるフライホィールと係合し、前記フライホィールは発電機を回転させる請求項４２の燃焼エンジン。
【請求項４４】
圧力制御装置は、燃焼エンジンの排気部に配備される請求項１又は３の燃焼エンジン。
【請求項４５】
燃焼の排気は、気体及び液体の少なくとも一方を加熱するのに用いられる請求項１の燃焼エンジン。
【請求項４６】
気体は空気であり、液体は水である請求項４５の燃焼エンジン。
【請求項４７】
排気は、空気又は水へ直接排出される請求項４６の燃焼エンジン。
【請求項４８】
前記エンジンは絶縁されている請求項１又は４の燃焼エンジン。
【請求項４９】
前記エンジンは絶縁されている請求項２０の燃焼エンジン。
【請求項５０】
前記エンジンは絶縁されている請求項３６の燃焼エンジン。
【請求項５１】
酸素と水素の燃料混合物を用いる燃焼方法であって、燃焼温度は、燃焼チャンバーへの水の添加によって、少なくとも部分的に制御される燃焼方法。
【請求項５２】
燃焼によって発生した蒸気により少なくとも１つの蒸気タービンを回転させ、該蒸気タービンによって発電機を回転させ、電気エネルギーを生成する請求項５１の方法。
【請求項５３】
酸素と水素の燃料混合物を用いる燃焼システムであって、燃焼の排気によって少なくとも１つの蒸気タービンを回転させ、該蒸気タービンによって発電機を回転させ、電気エネルギーが生成される燃焼方法。
【請求項５４】
燃焼システムによって機械的回転エネルギーを発生させ、該機械的回転エネルギーにより発電機を回転させ、電気エネルギーを生成する請求項５１の方法。
【請求項５５】
燃焼温度は、燃焼チャンバーへの水の添加によって、少なくとも部分的に制御される請求項５３の方法。
【請求項５６】
窒素又はアルゴンが燃料の中に存在する請求項５１の方法。
【請求項５７】
空気は、酸素に代えて、少なくとも部分的に用いられる請求項５１の方法。
【請求項５８】
燃焼によって発生した蒸気の少なくとも一部は、少なくとも一種の金属の腐食によって水素へ転換される請求項５１の方法。
【請求項５９】
水素は、燃焼の燃料として少なくとも部分的に用いられる請求項５８の方法。
【請求項６０】
水素の生成は、金属中の電流によって増加する請求項５８の方法。
【請求項６１】
水素は、燃焼の燃料として少なくとも部分的に用いられる請求項６０の方法。
【請求項６２】
発電機は、空気又は水の移動によって回転し、発電機は電気エネルギーを生成し、該電気エネルギーは、水を水素と酸素に電気分解するために少なくとも部分的に用いられ、水素及び／又は酸素の少なくとも一部は、燃焼の燃料として少なくとも部分的に用いられる請求項５１の方法。
【請求項６３】
電気エネルギーは、水素と酸素を生成するための水の電気分解に少なくとも部分的に用いられる請求項５２の方法。
【請求項６４】
水素及び／又は酸素の少なくとも一部は、燃焼の燃料として用いられる請求項６３の方法。
【請求項６５】
電気エネルギーは、水素と酸素を生成するための水の電気分解に少なくとも部分的に用いられる請求項５３の方法。
【請求項６６】
水素及び／又は酸素の少なくとも一部は、燃焼の燃料として用いられる請求項６５の方法。
【請求項６７】
電気エネルギーは、水素と酸素を生成するための水の電気分解に少なくとも部分的に用いられる請求項５４の方法。
【請求項６８】
水素及び／又は酸素の少なくとも一部は、燃焼の燃料として用いられる請求項６７の方法。
【請求項６９】
光電池は電気エネルギーを生成し、電気エネルギーは、水素と酸素を生成するための水の電気分解に少なくとも部分的に用いられ、水素及び／又は酸素の少なくとも一部は、燃焼の燃料として用いられる請求項５１の方法。
【請求項７０】
燃焼のエネルギーの少なくとも一部は、極低温の空気分離の少なくとも一部に動力を供給する請求項５１の方法。
【請求項７１】
空気は、濃縮酸素、純酸素及び超純粋酸素のうちの少なくとも１種の酸素に分離される請求項７０の方法。
【請求項７２】
アルゴンは酸素から実質的に除去される請求項７０の方法。
【請求項７３】
酸素の少なくとも一部は、燃焼の燃料として用いられる請求項７０の方法。
【請求項７４】
空気から分離された窒素は、深冷蒸留システム、酸素の貯蔵、水素の貯蔵、電気分解、燃焼システム用クーラント、燃焼システム及びこれらの任意の組合せの中の任意の部分を冷却するのに用いられる請求項７０の方法。
【請求項７５】
空気から分離された窒素は、空気又は水を冷却するのに用いられる請求項７０の方法。
【請求項７６】
燃焼のエネルギーの少なくとも一部は、空気膜分離方法の少なくとも一部に動力を供給する請求項５１の方法。
【請求項７７】
空気は、濃縮酸素、純酸素及び超純粋酸素のうちの少なくとも１種の酸素に分離される請求項７６の方法。
【請求項７８】
アルゴンは酸素から実質的に除去される請求項７６の方法。
【請求項７９】
酸素の少なくとも一部は、燃焼システムの燃料として用いられる請求項７６の方法。
【請求項８０】
燃焼エネルギーの少なくとも一部は、空気ＰＳＡ分離システムの少なくとも一部に動力を供給する請求項５１の方法。
【請求項８１】
空気は、濃縮酸素、純酸素及び超純粋酸素のうちの少なくとも１種の酸素に分離される請求項８０の方法。
【請求項８２】
アルゴンは酸素から実質的に除去される請求項８０の方法。
【請求項８３】
酸素の少なくとも一部は、燃焼システムの燃料として用いられる請求項８０の方法。
【請求項８４】
腐食防止剤、キレート剤、分散剤及びこれらの任意の組合せのうちの少なくとも１種が加えられる請求項５１又は５４の方法。
【請求項８５】
燃焼は、内部燃焼及びタービン燃焼のうちの少なくとも１種の燃焼である請求項５１又は５３の方法。
【請求項８６】
酸素及び水素の少なくとも１種は、液化により、液体状態で貯蔵される請求項５１の方法。
【請求項８７】
液化用圧縮機は、燃料電池及び前記燃焼システムのどちらか一方又は両方により、動力が供給される請求項８６の方法。
【請求項８８】
燃料電池は、酸素及び水素の少なくとも１種により、動力が供給される請求項８７の方法。
【請求項８９】
水素、酸素及び水のうちの少なくとも１種は、周囲温度、前記燃焼システム、前記燃焼システムの排気物、電気的放射熱源及び／又はそれらの任意の組合せのうちの少なくとも１種からのエネルギーで燃焼が行われる前に予熱される請求項５１の方法。
【請求項９０】
燃焼による機械回転エネルギーはトランスミッションに入り、トランスミッションは、燃焼システムのトルク及び／又は仕事の出力と反比例するように係合し、前記トランスミッション出力の機械回転エネルギーは、発電機を回転させて、電気エネルギーが作られる請求項５３の方法。
【請求項９１】
トランスミッションは、回転運動エネルギーを貯蔵することができるフライホィールと係合し、フライホィールは発電機を回転させる請求項９０の方法。
【請求項９２】
燃焼による機械回転エネルギーはトランスミッションに入り、トランスミッションは、燃焼のトルク及び／又は仕事の出力と反比例するように係合し、前記トランスミッション出力の機械回転エネルギーは、発電機を回転させて、電気エネルギーが作られる請求項５４の方法。
【請求項９３】
トランスミッションは、回転運動エネルギーを貯蔵することができるフライホィールと係合し、前記フライホィールは発電機を回転させる請求項９２の方法。
【請求項９４】
圧力制御装置は、システムの排気部に配備される請求項５１又は５３の方法。
【請求項９５】
燃焼の排気は、気体及び液体の少なくとも一方を加熱するのに用いられる請求項５１の方法。
【請求項９６】
気体は空気であり、液体は水である請求項９５の方法。
【請求項９７】
排気は、空気又は水へ直接排出される請求項９６の方法。
【請求項９８】
絶縁することを含んでいる請求項５１又は５３の方法。
【請求項９９】
絶縁することを含んでいる請求項７０の方法。
【請求項１００】
絶縁することを含んでいる請求項８６の方法。
【請求項１０１】
酸素と水素をエンジンの中で燃焼させる装置であって、
ａ．ｉ．酸素流の制御弁、及び前記酸素流に比例した酸素流信号をコントローラに送る酸素流を検知する酸素流検知装置とを具える、エンジンへの酸素流供給源と、
ｉｉ．水素流の制御弁、及び前記水素流に比例した水素流信号をコントローラに送る水素流を検知する水素流検知装置とを具える、エンジンへの水素流供給源と、
ｉｉｉ．空気流の制御弁、及び前記空気流に比例した空気流信号をコントローラに送る空気流を検知する空気流検知装置とを具える、エンジンへの空気流供給源と、
ｉｖ．少なくとも１つの燃焼温度又はエンジン燃焼室の近傍の燃焼エンジン温度を測定し、前記燃焼温度又は前記燃焼エンジン温度に比例した温度信号を、コントローラへ送る温度測定装置と、を具える燃料システムと、
ｂ．ｉ．クーラント源とクーラント流の制御弁を具える、エンジンへのクーラント流供給源と、
ｉｉ．水流を検知し、水源、燃焼水流の制御弁、及び水流に比例した燃焼水流信号をコントローラへ送る水流検知装置と、を具えるクーラントシステムと、
ｃ．ｉ．酸素、水素、空気及び燃焼水に対する前記比例した流れ信号を受信し、
ｉｉ．前記比例した温度信号を受信し、
ｉｉｉ．外部燃焼信号の設定値を受信し、
ｉｖ．酸素に対する水素の比の設定値を有し、
ｖ．水素対酸素比の設定値を有し、
ｖｉ．温かい(ウォーム)燃焼温度設定値を有し、
ｖｉｉ．クーラントの燃焼温度設定値を有し、
ｖｉｉｉ．高温燃焼温度設定値及びコントローラを有する、少なくとも１つのコントローラを具える制御システムと、
ｄ．燃焼信号設定値と水素の流れを比較し、燃焼信号設定値に対する水素の流れ信号の差に比例して、信号を水素流制御弁に送信し、これによって水素流の制御弁の比率を設定し、
ｅ．水素流信号及び酸素流信号を、水素と酸素の比設定値と比較し、信号を酸素流制御弁に送信し、これによって酸素流の制御弁の比率を設定し、
ｉ．酸素流制御弁信号が１００％近くでない場合、信号を、空気流制御装置を閉じる空気流制御装置に送信し、
ｉｉ．酸素流制御信号が１００％に近い場合、酸素流信号及び空気流信号を、水素対酸素比の設定値と比較し、空気流の差を求めて、比例信号を、前記差に比例した比例信号を空気流量制御装置に送信し、これによって空気制御装置の比率を設定し、
ｆ．前記温度信号とウォーム温度設定値を比較し、クーラント温度設定値と高温設定値は、ｉ．前記温度信号が、ウォーム温度設定値よりも小さく、クーラント温度設定値よりも小さく、高温設定値よりも小さい場合、信号を燃焼水流制御弁に送信し、これによって燃焼水流の制御弁を閉じて、信号をクーラント水流制御弁に送信し、これによってクーラント水流の制御弁を閉じ、
ｉｉ．前記温度信号が、ウォーム温度設定値以上で、クーラント温度設定値よりも小さく、高温設定値よりも小さい場合、前記温度信号と前記低温設定値との差に比例し、水素対水比の設定値よりも大きい水素対水比の信号を燃焼水流弁に送信し、これによって、燃焼水流制御弁の比率を設定し、信号をクーラント流制御弁に送信し、これによってクーラント流制御弁を閉じ、
ｉｉｉ．前記温度信号が、ウォーム温度設定値よりも大きく、クーラント設定値以上で、高温設定値よりも小さいとき、水素対水比設定値に等しい水素対水比の信号を燃焼水制御弁に送信し、これによって、燃焼水制御弁の比率を設定し、温度信号とクーラント温度設定値との差に比例した信号を、クーラント流制御弁に送信し、これによってクーラント流制御弁の比率を設定し、
ｉｖ．前記温度信号が、ウォーム温度設定値より大きく、クーラント温度設定値よりも大きく、高温設定値以上の場合、信号を燃焼水流制御弁に送信し、これによって、燃焼流制御弁を１００％開放し、前記温度信号と前記クーラント設定値との差に比例した信号を、クーラント流制御弁に送信し、これによって、クーラント流制御弁の比率を設定し、信号を水素流制御弁に送信し、これによって、水素流制御弁を閉じ、信号を酸素流制御弁に送信し、これによって、酸素流制御弁を閉じ、信号を空気流制御弁へ送信し、これによって、空気流制御装置を閉じる装置。